(57)【要約】  【課題】垂木に代わる簡易かつ廉価な支持材により被覆シートを支持するとともに、被覆シートへの張力導入が均一かつ容易に行えるようにする。  【解決手段】一定間隔で配置された架構面材４，４…と、この架構面材４，４…を繋ぐ連結材５，５…とからなる架構２と、この架構２空間を覆う日射透過性の被覆シート３とから構成される温室１において、前記架構２の外面側であってかつ前記架構面材方向に沿って索材６，６…が配設されるとともに、この索材６，６…が、前記架構２に設けられるとともに、架構２の内外方向に移動調整可能とされる索受け具１３により支持されている。【選択図】図３
2005034077.tif 000002
【特許請求の範囲】
【請求項１】
一定間隔で配置された架構面材と、この架構面材を繋ぐ連結材とからなる架構と、この架構空間を覆う日射透過性の被覆シートとから構成される温室において、
前記架構の外面側であってかつ前記架構面材方向に沿って索材が配設されるとともに、この索材が、前記架構に設けられるとともに、架構の内外方向に移動調整可能とされる索受け具により支持されたことを特徴とする温室構造。
【請求項２】
前記索受け具は、架構の内外方向に移動調整可能とされた調整ボルトと、この調整ボルトの先端部に、ボルト軸芯回りに回転自在に連結された索受け部材とからなる請求項１記載の温室構造。
【請求項３】
前記索材は各架構面材間に所定間隔で配設されている請求項１、２いずれかに記載の温室構造。
【請求項４】
前記索受け具は、索材の外れ止めを図る脱落防止部材を備える請求項２、３いずれかに記載の温室構造。
【発明の詳細な説明】
【技術分野】
【０００１】
本発明は、野菜、花き、果樹などを栽培するための温室構造に関する。
【背景技術】
【０００２】
従来より、野菜、花き、果樹などを気候条件に左右されることなく生産するために、建屋として温室が利用されている。この温室は、気温、光、水分などの環境因子を調節する目的で、栽培空間を日射透過性の被覆資材で覆った構造のものである。
【０００３】
前記温室は、被覆資材によって大きくはガラス温室とプラスチックハウスとに大別される。後者のプラスチックハウスは、任意断面形状の骨組（架構）の外面側をプラスチックフィルムによって覆った構造であるが、例えば図７に示されるように、前記プラスチックフィルム５２が風に煽られたり、重みなどにより垂れ下がるのを防止するため、屋根の勾配方向に沿って配設される垂木５１を例えば６００〜７００mm程度の間隔で多数設けるようにしている（例えば、下記特許文献１等参照）。
【特許文献１】実用新案登録第３０３０３０４号公報
【発明の開示】
【発明が解決しようとする課題】
【０００４】
前述のように小寸法間隔で多数の垂木を配設することによりプラスチックフィルムのバタツキや垂れ下がりを防ぐことができるようになるが、非常に多くの垂木を使用することになるため、影が多くなり、野菜、花き、果樹に対する日射量が少なくなるとともに、温室の設置コストが嵩む原因となっていた。
【０００５】
また、前記プラスチックフィルムは所定の張力を導入した状態で架構間に定着されるが、均一に張力を導入するための作業が繁雑であるとともに、プラスチックフィルムの一部に切れが生じた場合の補修に際し、張力が導入された状態で補修作業を行わなければならず作業性が非常に悪いという問題もあった。
【０００６】
そこで本発明の主たる課題は、垂木に代わる簡易かつ廉価な支持材により被覆シートを支持するとともに、被覆シートへの張力導入が均一かつ容易に行え、かつ温室設置後における被覆シートの一部補修時に簡単に被覆シートの張力を開放できる温室構造を提供することにある。
【課題を解決するための手段】
【０００７】
前記課題を解決するために請求項１に係る本発明として、一定間隔で配置された架構面材と、この架構面材を繋ぐ連結材とからなる架構と、この架構空間を覆う日射透過性の被覆シートとから構成される温室において、
前記架構の外面側であってかつ前記架構面材方向に沿って索材が配設されるとともに、この索材が、前記架構に設けられるとともに、架構の内外方向に移動調整可能とされる索受け具により支持されたことを特徴とする温室構造を提供することにある。
【０００８】
上記請求項１記載の本発明においては、従来の垂木に代えてワイヤ、ロープ等の索材を設け、この索材によって被覆シートを支持するようにしたため、垂木を設ける場合に比べて温室の設置コストを大幅に抑えることができるようになるとともに、細径の索材を使用するため、日射を遮る部材面積を極小化でき、野菜、花き、果樹に対する日射量を十分に確保できるようになる。
【０００９】
また、前記索材を支持する索受け具は、架構内外方向に移動調整可能としている。従って、被覆シートの側端部を所定位置に定着した後、前記索受け具を外方側に進出させることにより、被覆シートへの張力導入が均一かつ容易に行えるようになる。
【００１０】
さらに、温室設置後における被覆シートの一部補修時に際しては、前記索受け具を架構内側方向に後退させることにより、被覆シートへの導入張力を簡単に開放することができ、切れなどの補修を容易に行えるようになる。
【００１１】
請求項２に係る本発明として、前記索受け具は、架構の内外方向に移動調整可能とされた調整ボルトと、この調整ボルトの先端部に、ボルト軸芯回りに回転自在に連結された索受け部材とからなる請求項１記載の温室構造が提供される。前記索受け具としては種々の構造が考えられるが、前記調整ボルトと索受け部材とからなる器具とするのが、構造が簡単で製作費が廉価で済む点により好適に採用される。
【００１２】
請求項３に係る本発明として、前記索材は各架構面材間に所定間隔で配設されている請求項１，２いずれかに記載の温室構造が提供される。一般的に、被覆シートは架構面材の上面にシート定着具を設け、架構面材間毎に張設されるため、前記索材は各架構面材間に所定の間隔で、例えば1000〜1500mmの間隔で配設するようにする。
【００１３】
請求項４に係る本発明として、前記索受け具は、索材の外れ止めを図る脱落防止部材を備える請求項２，３いずれかに記載の温室構造が提供される。
【発明の効果】
【００１４】
以上詳説のとおり本発明によれば、垂木に代わる簡易かつ廉価な支持材により被覆シートを支持できるようになるとともに、被覆シートへの張力導入が均一かつ容易に行え、かつ温室設置後における被覆シートの一部補修時に簡単に被覆シートの張力を開放できるようになる。
【発明を実施するための最良の形態】
【００１５】
以下、本発明の実施の形態について図面を参照しながら詳述する。
図１は本発明に係る温室１の側面図、図２は図１のII−II線矢視図である。
【００１６】
温室１は、一方向に所定間隔で配置されたパイプ、Ｈ形鋼、角形鋼管、Ｃ形鋼材などの形材からなる架構面材４，４…と、これら架構面材４を繋ぐパイプ、Ｈ形鋼、角形鋼管、Ｃ形鋼材などの形材からなる連結材５，５…とにより構成される架構２と、この架構２の空間を覆うように前記架構２の外面に張設された日射透過性の被覆シート３とからなるものである。
【００１７】
本発明に係る温室１は、プラスチックハウスであるため、前記被覆シート３としては、プラスチックフィルムが使用されている。具体的には、ポリエステルフィルム、フッ素フィルムなどの硬質フィルム又は塩化ビニルフィルム、ポリエチレンフィルム等のポリオレフィン系フィルムなどの軟質フィルムが使用される。被覆シート３は、前記各架構面材４，４…の上面にシート定着具（図示せず）を設け、各架構面材４，４間毎に張設されるようになっており、前記架構２の外面側であってかつ前記架構面材４方向に沿って配設された索材６，６…によって風によるバタツキや自重等による垂れ下がりが生じないように支持されている。
【００１８】
前記架構面材４は、図２に示されるように、一方側の側柱７を複合柱構造とし、他方側の側柱１２を前記複合柱よりも高さの低い単柱構造とし、前記複合柱７と単柱１２との間に主梁１０を架け渡した架構面材とされる。前記複合柱７は、横断面内に並列配置された２本の柱７Ａ、７Ｂを斜材８，８…及び／又は水平材９，９…などによって一体的に組み上げた構造とされ、複合柱７と側柱１２とが主梁１０によって連結されるとともに、この主梁１０が複合柱７から水平方向に伸び、主梁１０に結合される補強梁１０Ａによって補強支持されている。
【００１９】
前記架構面材４，４間には、図２に示されるように、所定箇所に架構面材４，４同士を連結する連結材５，５…が配設されている。
【００２０】
本温室１においては、前記架構面材４，４間に垂木を設けることなく、これに代わるワイヤ、ロープ等の索材６が前記架構２の外面側であってかつ前記架構面材方向に沿って配設され、この索材６が、前記架構２（連結材５）に設けられ前記架構２の内外方向に移動調整可能とされた索受け具１３により支持されるようになっている。なお、本温室１では、前記架構２のみで自重や風荷重に対する耐力を有するように設計されており、垂木が存在しなくても構造的強度は十分に確保されている。
【００２１】
以下、前記索受け具１３について図３〜図５を参照しながら詳述する。
【００２２】
前記索受け具１３は、前記連結材５に対して設けられ、架構２の内外方向に移動調整可能とされる調整ボルト１６と、この調整ボルト１６の先端部に、ボルト軸芯回りに回転自在に連結された索受け部材１５と、索材６の外れ止めを図る脱落防止カバー材１４とから構成された器具である。
【００２３】
前記調整ボルト１６は、連結材５の上フランジ５ａの所定箇所に通孔を形成するとともに、この通孔箇所の下面側にナット１７を溶接付けし、このナット１７に螺通されたボルト部材であり、前記ナット１７の隣接位置には緩み止めナット１８が螺設されている。
【００２４】
前記索受け部材１５は、断面Ｕ字状を成す小片状部材の下面側に筒状体１９が固設された部材で、前記調整ボルト１６を設置した後、調整ボルト１６のネジ部１６ｂに前記索受け部材１５の筒状体１９を被せるように装設することにより、調整ボルト１６の軸芯回りに回転自在に設置される。また、図示例では前記索受け部材１５内に支持される索材６の位置ズレを防止するため、上面が円弧状とされる索用台座２０が固設されている。
【００２５】
また、前記脱落防止カバー材１４は、断面溝型形状の部材であり、図５に示されるように、索材６を索受け部材１５により支持させた後、この索受け部材１５に対して被せるように設置し索材６が索受け部材１５から外れるのを防止している。
【００２６】
次いで、前記索受け具１３による被覆シート３への張力導入方法について説明する。
【００２７】
図４及び図５に示されるように、連結材５の適所に、前記索受け具１３を設置したならば、この索受け具１３により支持される索材６を架構２の外面側であってかつ前記架構面材方向に沿って配設する。この索材６の端部定着は例えば、図６に示されるように、架構側面の最下端に配設される連結材５１を周回させ、ワイヤクリップ２１により緊結するようにする。その後、架構２を覆うように被覆シート３を被せ、その側端部を架構面材４，４上に設置されたシート定着具に定着させる。
【００２８】
この状態で、スパナ（図示せず）等により調整ボルト１６の頭部１６ａを右回りに回転させると、この調整ボルト１６が上方向、すなわち架構の外方向に移動するとともに、索受け部材１５が架構外方向に押し上げられ、これにより前記索材６に張力が導入されるとともに、被覆シート３に対しても同様に所定の張力が導入される。
【００２９】
また、温室の設置後に被覆シート３の一部に切れが生じその補修を行う場合や、一部の被覆シート３の張り替えを行う場合には、前記調整ボルト１６を左回りに回転させると、索受け部材１５が架構内方向に後退するので、索材６への張力が開放されるとともに、被覆シート３の張力を開放されるため、被覆シートの張り替えや補修が容易に行えるようになる。
【００３０】
〔他の形態例〕
(1)上記形態例では、前記索受け部材１５は上記調整ボルト１６によって、架構内外方向に移動調整可能な構造としたが、架構内外方向に移動調整できれば任意の構造とすることでもよい。
(2)上記形態例では、前記索材６を各架構面材４間に２本づつ配置したが、要は被覆シート３のバタツキや垂れ下がりを生じない間隔で配設すればよい。
(3)上記形態例では架構面材間毎（１スパン毎）に被覆シート３を張設するようにしたが、複数スパン毎に被覆シート３を張設するようにしてもよい。この場合は、中間の架構面材４に対しても索受け具１３を配設するようにする。
(4)本形態例では複合柱を有する特殊構造の温室１の例について述べたが、本発明は温室一般に適用することが可能である。
【図面の簡単な説明】
【００３１】
【図１】本発明に係る温室１の側面図である。
【図２】図１のII−II線矢視図である。
【図３】索受け具１３の取付状態を示す斜視図である。
【図４】その側面図（図３のIV−IV線矢視図）である。
【図５】その正面図（図３のＶ−Ｖ線矢視図）である。
【図６】索材６の端部定着例を示す図である。
【図７】従来の温室における垂木配設例を示す図である。
【符号の説明】
【００３２】
１…温室、２…架構、３…被覆シート、４…架構面材、５…連結材、６…索材、７…複合柱、７Ａ…外側柱、７Ｂ…内側柱、８…斜材、９…水平材、１０…主梁、１１…曲線梁、１３…索受け具、１４…脱落防止カバー材、１５…索受け部材、１６…調整ボルト
【図１】
2005034077.tif 000003
【図２】
2005034077.tif 000004
【図３】
2005034077.tif 000005
【図４】
2005034077.tif 000006
【図５】
2005034077.tif 000007
【図６】
2005034077.tif 000008
【図７】
2005034077.tif 000009